(57)【要約】【課題】十分なクッション性を有して、器が傷付くのを完全に防止することができ、しかも上面の外周部分が湾曲する器の上面に載置しても、外周部分に皺が出来ることがない器の傷付き防止用の介装シートを提供する。【解決手段】介装シート１１は大サイズの本体２１の上面２１ａと中サイズの本体２３の底面２３ｂとの間に介装され、介装シート１は中サイズの本体２３の上面２３ａと小サイズの本体２５の底面２５ｂとの間に介装される。従って、フライパンの本体２１，２３，２５を取り出したり、仕舞ったりする際に本体２１の上面に対し本体２３の底面が接触するのを防止でき、また本体２３の上面に対し本体２５の底面が接触するのを防止できる。よって、体２１，２３の上面に施されたに傷が付くのを防ぐことが可能となる。【選択図】        図５
0003125867.tif 000002
【実用新案登録請求の範囲】
【請求項１】
上下に重ねた器のうち下段の器の上面と上段の器の底面との間に介装する器の傷付き防止用の介装シートにおいて、クッション性の高いクッションシートと、前記クッションシートに積層されクッションシートより高い強度を有する補強シートとから成る器の傷付き防止用の介装シート。
【請求項２】
請求項１に記載した器の傷付き防止用の介装シートにおいて、外周部に切り欠きが形成されていることを特徴とする器の傷付き防止用の介装シート。
【請求項３】
請求項１または２に記載した器の傷付き防止用の介装シートの相似形のものを複数枚、組み合わせて成る器の傷付き防止用の介装シートセット。
【考案の詳細な説明】
【技術分野】
【０００１】
本考案は多段に重ねた鍋、食器等の器のうち、下段の器の上面と上段の器の底面との間に介装する器の傷付き防止用の介装シートに関するものである。
【背景技術】
【０００２】
例えばポリ四フッ化エチレン系の合成樹脂がコーティングされたフライパンは上下に重ねると、下段のフライパンの上面に上段のフライパンの底面が当接する。そして、フライパンを取り出したり、仕舞ったりする際に下段のフライパンの上面に対し、フライパンの底面が接触し、前記コーティングに傷が付いてしまう。このコーティングに傷が付くと、鉄製の面が露出するので、この露出部分が錆びてしまい、更にその周囲までに錆びが及んで、短期間でフライパンが駄目になってしまう。
【０００３】
また、絵皿等も上下に重ねると、下段の絵皿の上面と上段の絵皿に底面とが擦れて、絵皿に施された絵、模様が傷付いてしまうことになる。
このような問題を解決するため、上下に重ねた器のうち下段の器の上面と上段の器の底面との間に適当な大きさにカットした和紙を介装することが、ごく一部において行われている。
【考案の開示】
【考案が解決しようとする課題】
【０００４】
しかしながら、和紙は十分なクッション性を有しているとは言い難く、器が傷付くのを完全に防止することは困難であり、またフライパンのように上面の外周部分が湾曲する器の上面に載置すると、器の湾曲面に沿って和紙の外周部分が持ち上がるように湾曲するので、外周部分に皺が出来てしまい、見た目が悪いだけでなく、多段に重ねた器が不安定になってしまうおそれもある。
本考案は上記従来の問題点に着目して為されたものであり、十分なクッション性を有しており、器が傷付くのを完全に防止することができて、しかも上面の外周部分が湾曲する器の上面に載置しても、外周部分に皺が出来ることがない器の傷付き防止用の介装シートを提供することを、その目的とする。
【課題を解決するための手段】
【０００５】
本考案は上記課題を解決するためになされたものであり、請求項１の考案は、上下に重ねた器のうち下段の器の上面と上段の器の底面との間に介装する器の傷付き防止用の介装シートにおいて、クッション性の高いクッションシートと、前記クッションシートに積層されクッションシートより高い強度を有する補強シートとから成る器の傷付き防止用の介装シーである。
【０００６】
請求項２の考案は、請求項１に記載した器の傷付き防止用の介装シートにおいて、外周部に切り欠きが形成されていることを特徴とする器の傷付き防止用の介装シートである。
【０００７】
請求項３の考案は、請求項１または２に記載した器の傷付き防止用の介装シートの相似形のものを複数枚、組み合わせて成る器の傷付き防止用の介装シートセットである。
【考案の効果】
【０００８】
本考案の器の傷付き防止用の介装シートによれば、器が傷付くのを完全に防止することができる。
また、防止用の介装シートを上面の外周部分が湾曲する器の上面に載置しても、外周部分に皺が出来ることがなくて見た目がよく、しかも多段に重ねた器が安定した状態に保つことができる。
【考案を実施するための最良の形態】
【０００９】
本考案の実施の形態に係る器の傷付き防止用の介装シートを図面にしたがって説明する。
この介装シート１はフェルト製のクッションシート３と、このクッションシート３に積層されて貼着されている合成繊維製の不織布５とによって構成されている。クッションシート３の厚さ寸法は２ｍｍ程度であり、高いクッション性を有している。また不織布５はクッションシート３より高い引っ張り強度を有しており、介装シート１の強度を高めている。
【００１０】
介装シート１は外周部に２１個の凸部７を有しており、凸部７の縁は円弧状に形成されている。こられ２１個の凸部７どうしの間には合計２１個の切り欠き９が形成されている。この介装シート１の直径は２０ｃｍ小サイズのものである。
【００１１】
符号１１は中サイズの介装シートを示し、構成材料は介装シート１と同じである。中サイズの介装シート１１は介装シート１の相似形であり、その直径は２４ｃｍである。
小サイズの介装シート１と中サイズの介装シート１１との組み合わせによって、介装シートセットが構成される。なお、介装シートセットを構成する介装シートは上記小サイズの介装シート１と中サイズの介装シート１１に限られるものでなく、これに例えば直径２８ｃｍの大サイズの介装シートを加えて、３枚の介装シートの組み合わせによって介装シートセットを構成してもよい。更にサイズの異なる相似形の介装シートを加えて４枚以上の介装シートを組み合わせた介装シートセットを構成してもよい。
【００１２】
次に、介装シート１，１１の使用方法について説明する。
図３〜図５において器としてのフライパンは、大、中、小の３つのサイズの本体２１，２３，２５と、本体２１，２３，２５に対し着脱自在で３つのサイズの本体に共用する把手２７を備えている。本体２１，２３，２５の上面（内面）にはポリ四フッ化エチレン系の合成樹脂がコーティングされている。
中サイズの介装シート１１を大サイズの本体２１の上面に備える。そして、介装シート１１上に中サイズの本体２３を載置して、この本体２３の上面に介装シート１を備える。更に、介装シート１上に小サイズの本体２５を載置する。このように大、中、小の３つのサイズの本体２１，２３，２５を上下に重ねて収納する。
【００１３】
大サイズの本体２１は中サイズの本体２３に対し下段のものとなり、中サイズの本体２３は大サイズの本体２１に対し上段のものとなる。また中サイズの本体２３は小サイズの本体２５に対し下段のものとなり、小サイズの本体２５は中サイズの本体２３に対し上段のものとなる。
介装シート１１は大サイズの本体２１の上面２１ａと中サイズの本体２３の底面２３ｂとの間に介装され、介装シート１は中サイズの本体２３の上面２３ａと小サイズの本体２５の底面２５ｂとの間に介装される。
【００１４】
従って、フライパンの本体２１，２３，２５を取り出したり、仕舞ったりする際に本体２１の上面２１ａに対し本体２３の底面２３ｂが接触するのを防止でき、また本体２３の上面２３ａに対し本体２５の底面２５ｂが接触するのを防止できる。よって、本体２１，２３の上面２１ａ、２３ａに施されたコーティングに傷が付くのを防ぐことが可能となる。
【００１５】
また、本体２１，２３，２５は外周部分が上方へ湾曲しているが、介装シート１，１１は外周部に切り欠き９を有しているので、外周部分が持ち上がるように湾曲しても、凸部７が互いに近づくように変形する。このため、介装シート１，１１の外周部分に皺が出来るのを防止でき、見た目が良好であるだけでなく、多段に重ねた本体２１，２３，２５を安定した状態に保つことができる。
【００１６】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では器としてフライパンを示したが、フライパンに限定されず、本考案の器の傷付き防止用の介装シートは絵皿、漆塗りの器等、種々の器に適用することが可能である。
また、傷付き防止用の介装シートの形状も上記したものに限定されず、いかなる形状でもよく、例えば凸部７の縁は円弧状に限定されず、直線だけで構成される形状、直線と円弧状の曲線とを組み合わせてなる形状であってもよい。
【図面の簡単な説明】
【００１７】
【図１】本考案の実施の形態に係る介装シートの平面図である。
【図２】図１の介装シートの側面図である。
【図３】本考案に係る中サイズの介装シートと小サイズ介装シートから成る介装シートセットの使用方法を説明するための斜視図である。
【図４】本考案に係る中サイズの介装シートと小サイズ介装シートから成る介装シートセットの使用方法を説明するための斜視図である。
【図５】本考案に係る中サイズの介装シートと小サイズ介装シートから成る介装シートセットの使用方法を説明するための断面図である。
【符号の説明】
【００１８】
１，１１  器の傷付き防止用の介装シート      ３  クッションシート
５  不織布      ７  凸部      ９  切り欠き
２１，２３，２５  フライパンの本体
２１ａ  本体の上面      ２３ａ  本体の上面
２３ｂ  本体の下面      ２５ｂ  本体の下面
２７  フライパンの把手
【図１】
0003125867.tif 000003
【図２】
0003125867.tif 000004
【図３】
0003125867.tif 000005
【図４】
0003125867.tif 000006
【図５】
0003125867.tif 000007